(57)【要約】【課題】取得した画像の自動切り替え表示の一時停止が指示された場合に、画像の取得を停止せずに自動切り替え表示を停止させる。【解決手段】画像形成装置１１は、表示部６２への接触位置を検出し、表示部６２に複数の参照画像が表示された状態で接触位置が複数箇所検出された場合に、複数箇所の接触位置と複数の参照画像との位置関係から、拡大対象を特定し、特定された拡大対象を拡大して表示部６２に表示させる。【選択図】図１
2018010476.tif 000002
【特許請求の範囲】
【請求項１】
表示部への接触位置を検出する検出手段と、
前記表示部に複数の参照画像が表示された状態で前記検出手段により前記接触位置が複数箇所検出された場合に、前記複数箇所の接触位置と前記複数の参照画像との位置関係から、拡大対象を特定する特定手段と、
前記特定手段で特定された拡大対象を拡大して前記表示部に表示させる表示手段と、
を備えた表示制御装置。
【請求項２】
前記特定手段は、前記複数箇所の接触位置から、前記複数の参照画像のうち何れかの参照画像を選択する選択手段と、前記複数箇所の接触位置及び前記選択手段により選択された前記参照画像から、基準点を設定する基準点設定手段と、を備え、
前記表示手段は、前記基準点の周辺を前記拡大対象として、前記表示部に表示させる
請求項１記載の表示制御装置。
【請求項３】
前記選択手段は、前記複数箇所の接触位置のうち一方の接触位置が、前記複数の参照画像のうち何れかの参照画像内に存在し、前記複数箇所の接触位置のうち他方の接触位置が、前記複数の参照画像のうち何れの参照画像内にも存在しない場合は、前記一方の接触位置が存在する参照画像を選択し、
前記基準点設定手段は、前記選択手段により選択された参照画像内に前記基準点を設定する
請求項２記載の表示制御装置。
【請求項４】
前記選択手段は、前記複数箇所の接触位置の各々が、前記複数の参照画像のうち何れかの参照画像内に存在する場合は、前記複数箇所の接触位置の各々が存在する参照画像を選択し、
前記基準点設定手段は、前記選択手段により選択された参照画像内に前記基準点を設定する
請求項２記載の表示制御装置。
【請求項５】
前記選択手段は、前記複数箇所の接触位置の各々が、前記複数の参照画像のうち異なる参照画像内に各々存在すると共に、前記複数箇所の接触位置の中心点が、前記異なる参照画像のうち何れかの参照画像内に存在する場合は、前記中心点が存在する参照画像を選択し、
前記基準点設定手段は、前記選択手段により選択された参照画像内に前記基準点を設定する
請求項２記載の表示制御装置。
【請求項６】
前記選択手段は、前記複数箇所の接触位置の各々が、前記複数の参照画像のうち異なる参照画像内に各々存在すると共に、前記複数箇所の接触位置の中心点が、前記異なる参照画像の何れにも存在しない場合は、前記異なる参照画像のうち前記中心点に近い方の参照画像を選択し、
前記基準点設定手段は、前記選択手段により選択された参照画像内に前記基準点を設定する
請求項２記載の表示制御装置。
【請求項７】
前記特定手段は、前記複数箇所の接触位置の各々が前記複数の参照画像のうち何れの参照画像内にも存在しない場合は、前記複数の参照画像の全てを前記拡大対象として特定する
請求項１記載の表示制御装置。
【請求項８】
コンピュータを、請求項１〜７の何れか１項に記載の表示制御装置の各手段として機能させるための表示制御プログラム。
【発明の詳細な説明】
【技術分野】
【０００１】
本発明は、表示制御装置及び表示制御プログラムに関する。
【背景技術】
【０００２】
特許文献１には、画像を表示装置の画面にプレビュー表示し、前記画像を記録用紙に記録する画像形成装置であって、前記表示装置の画面に重ねて設けられ、２つの指示点を同時に検出するタッチパネルと、前記タッチパネルにより検出された各指示点の離反又は接近に応じて前記記録用紙に記録される画像の変倍率を変更しており、前記各指示点の相互間の移動速度もしくは移動加速度を求め、前記移動速度もしくは移動加速度が閾値以上であった場合に、前記画像を該画像の元のサイズとは異なる記録用紙の定型サイズに変倍するための変倍率を設定する制御部とを備えたことを特徴とする画像形成装置が開示されている。
【先行技術文献】
【特許文献】
【０００３】
【特許文献１】特開２０１２−１２１１７９号公報
【発明の概要】
【発明が解決しようとする課題】
【０００４】
本発明は、表示部に複数の参照画像が表示された状態で何れかの参照画像を拡大表示する指示を、表示部に対して複数箇所接触する動作で行った場合に、拡大表示を指示した参照画像を認識することができる表示制御装置及び表示制御プログラムを提供することを目的とする。
【課題を解決するための手段】
【０００５】
上記目的を達成するために、請求項１記載の発明の表示制御装置は、表示部への接触位置を検出する検出手段と、前記表示部に複数の参照画像が表示された状態で前記検出手段により前記接触位置が複数箇所検出された場合に、前記複数箇所の接触位置と前記複数の参照画像との位置関係から、拡大対象を特定する特定手段と、前記特定手段で特定された拡大対象を拡大して前記表示部に表示させる表示手段と、を備える。
【０００６】
請求項２記載の発明は、前記特定手段は、前記複数箇所の接触位置から、前記複数の参照画像のうち何れかの参照画像を選択する選択手段と、前記複数箇所の接触位置及び前記選択手段により選択された前記参照画像から、基準点を設定する基準点設定手段と、を備え、前記表示手段は、前記基準点の周辺を前記拡大対象として、前記表示部に表示させる。
【０００７】
請求項３記載の発明は、前記選択手段は、前記複数箇所の接触位置のうち一方の接触位置が、前記複数の参照画像のうち何れかの参照画像内に存在し、前記複数箇所の接触位置のうち他方の接触位置が、前記複数の参照画像のうち何れの参照画像内にも存在しない場合は、前記一方の接触位置が存在する参照画像を選択し、前記基準点設定手段は、前記選択手段により選択された参照画像内に前記基準点を設定する。
【０００８】
請求項４記載の発明は、前記選択手段は、前記複数箇所の接触位置の各々が、前記複数の参照画像のうち何れかの参照画像内に存在する場合は、前記複数箇所の接触位置の各々が存在する参照画像を選択し、前記基準点設定手段は、前記選択手段により選択された参照画像内に前記基準点を設定する。
【０００９】
請求項５記載の発明は、前記選択手段は、前記複数箇所の接触位置の各々が、前記複数の参照画像のうち異なる参照画像内に各々存在すると共に、前記複数箇所の接触位置の中心点が、前記異なる参照画像のうち何れかの参照画像内に存在する場合は、前記中心点が存在する参照画像を選択し、前記基準点設定手段は、前記選択手段により選択された参照画像内に前記基準点を設定する。
【００１０】
請求項６記載の発明は、前記選択手段は、前記複数箇所の接触位置の各々が、前記複数の参照画像のうち異なる参照画像内に各々存在すると共に、前記複数箇所の接触位置の中心点が、前記異なる参照画像の何れにも存在しない場合は、前記異なる参照画像のうち前記中心点に近い方の参照画像を選択し、前記基準点設定手段は、前記選択手段により選択された参照画像内に前記基準点を設定する。
【００１１】
請求項７記載の発明は、前記特定手段は、前記複数箇所の接触位置の各々が前記複数の参照画像のうち何れの参照画像内にも存在しない場合は、前記複数の参照画像の全てを前記拡大対象として特定する。
【００１２】
請求項８記載の発明の表示制御プログラムは、コンピュータを、請求項１〜７の何れか１項に記載の表示制御装置の各手段として機能させるための表示制御プログラムである。
【発明の効果】
【００１３】
請求項１及び請求項８記載の発明によれば、表示部に複数の参照画像が表示された状態で何れかの参照画像を拡大表示する指示を、表示部に対して複数箇所接触する動作で行った場合に、拡大表示を指示した参照画像を認識することができる。
【００１４】
請求項２記載の発明によれば、設定された基準点の周辺を認識することができる。
【００１５】
請求項３記載の発明によれば、複数箇所の接触位置のうち一方の接触位置が何れかの参照画像内に存在し、他方の接触位置が何れの参照画像内にも存在しない場合に、選択された参照画像を認識することができる。
【００１６】
請求項４記載の発明によれば、複数箇所の接触位置の各々が何れかの参照画像内に存在する場合に、選択された参照画像を認識することができる。
【００１７】
請求項５記載の発明によれば、複数箇所の接触位置の各々が異なる参照画像内に各々存在すると共に、複数箇所の接触位置の中心点が何れかの参照画像内に存在する場合に、選択された参照画像を認識することができる。
【００１８】
請求項６記載の発明によれば、複数箇所の接触位置の各々が異なる参照画像内に各々存在すると共に、複数箇所の接触位置の中心点が、異なる参照画像の何れにも存在しない場合に、選択された参照画像を認識することができる。
【００１９】
請求項７記載の発明によれば、複数箇所の接触位置の各々が何れの参照画像内にも存在しない場合に、複数の参照画像を認識することができる。
【図面の簡単な説明】
【００２０】
【図１】画像形成装置の外観図である。
【図２】画像読取部の構成図である。
【図３】画像形成装置の電気的構成を示すブロック図である。
【図４】プレビュー画像の一覧画面の例を示す図である。
【図５】プレビュー画像の表示制御処理の流れを示すフローチャートである。
【図６】２カ所のタッチポイントのうち１カ所のタッチポイントがプレビュー画像上に存在する場合の例を示す図である。
【図７】選択されたプレビュー画像のポップアップ表示の例を示す図である。
【図８】画面全体を拡大表示した例を示す図である。
【図９】選択されたプレビュー画像を拡大表示した例を示す図である。
【図１０】２カ所のタッチポイントの各々が同じプレビュー画像上に存在する場合の例を示す図である。
【図１１】２カ所のタッチポイントの各々が異なるプレビュー画像上に存在する場合の例を示す図である。
【図１２】画面全体を拡大表示した例を示す図である。
【発明を実施するための形態】
【００２１】
以下、図面を参照して、本発明を実施するための形態を詳細に説明する。
【００２２】
図１には、本実施形態に係る画像形成装置１１の外観図を示した。図１に示すように、画像形成装置１１は、画像読取部１０と、画像形成部８０と、用紙供給部８２と、用紙排出部８４とを含んで構成されている。
【００２３】
図２に示すように、画像読取部１０は、裏面画像読取部２８を含む原稿搬送部１２（ＤＡＤＦ：Dual Auto Document Feeder）と表面画像読取部１４とを備えている。
【００２４】
原稿搬送部１２は、画像が記録された原稿１８が置かれる原稿台２０と、原稿台２０に置かれた原稿１８を一枚ずつ取り出す取り出しロール２２と、複数の搬送ロール対２６を備えた搬送路２４と、裏面画像読取部２８と、裏面画像読取部２８に対向配置された基準板４６と、読取処理が終了した原稿が排出される排紙部３０とを含んで構成されている。
【００２５】
裏面画像読取部２８は、原稿１８及び基準板４６に対して照明光を照射する主走査方向に沿って配列された複数の発光素子を備えた光源２８Ｂと、光源２８Ｂにより照明された原稿１８及び基準板４６を複数の画素に分割して測光し、画素毎に測光した画素値に応じた読取データを出力するラインセンサ２８Ａとを含んで構成された固定密着型のイメージセンサである。また、裏面画像読取部２８は、図示しないロッドレンズアレイを備えており、原稿１８または基準板４６で反射した光がロッドレンズアレイを介してラインセンサ２８Ａで測光される。基準板４６は、シェーディング補正を行う場合にラインセンサ２８Ａにより読み取られる基準板で、例えば、白色の樹脂板または白色に塗装された金属板等が用いられる。
【００２６】
一方、表面画像読取部１４は、上面に原稿１８を置くことが可能とされている透明なプラテンガラス３２を備えている。プラテンガラス３２の下側には、原稿１８の表面に向けて照明光を照射する光源３４と、原稿１８の表面で反射した反射光を受ける第１反射ミラー３６、第１反射ミラー３６で受けた反射光の進行方向を９０°曲げるための第２反射ミラー３８、第２反射ミラー３８で受けた反射光の進行方向をさらに９０°曲げるための第３反射ミラー４０とが備えられている。
【００２７】
なお、光源３４は、例えば蛍光ランプ又は原稿１８の搬送方向と交差する方向に沿って配列された複数のＬＥＤ（Light Emitting Diode）等が適用される。
【００２８】
また、表面画像読取部１４は、レンズ４２と、複数の画素を備えた光電変換部４４とを備えており、表面画像読取部１４は、第３反射ミラー４０で反射された反射光を、レンズ４２によって光電変換部４４に結像させることで、原稿１８の表面を読み取る。
【００２９】
光電変換部４４は、例えば複数のＣＣＤ（Charge Coupled Device）で構成されるＣＣＤラインセンサ又はＣＭＯＳ（Complementary Metal-Oxide Semiconductor）イメージセンサ等の固体撮像素子が適用される。
【００３０】
このように構成された画像読取部１０によれば、原稿台２０に置かれた原稿１８は、一枚ずつ取り出しロール２２で取り出され、搬送路２４へ送られる。搬送路２４へ送られた原稿１８は、搬送ロール対２６によって表面画像読取部１４の表面読取位置まで搬送され、表面を表面画像読取部１４で読み取られる。その後、原稿１８は、表面読取位置よりも搬送方向下流側に設置されている裏面画像読取部２８に搬送され、原稿１８の両面を読み取る設定となっていた場合は、裏面を裏面画像読取部２８で読み取られた後、排紙部３０に排紙される。
【００３１】
また、画像読取部１０は、光源３４、第１反射ミラー３６、第２反射ミラー３８、及び第３反射ミラー４０が図１の矢印Ａ方向に移動可能とされている。これにより、原稿搬送部１２が表面画像読取部１４の上方へ開けられ、プラテンガラス３２の上面に原稿１８が置かれた場合は、光源３４から照明光を原稿１８に向けて照射しつつ、矢印Ａ方向へ光源３４、第１反射ミラー３６、第２反射ミラー３８、及び第３反射ミラー４０を移動させることで、上記原稿１８に記録された画像が読み取られる。なお、画像読取部１０は、本発明に係る取得手段及び読取手段の一例である。
【００３２】
画像形成部８０は、電子写真方式によって原稿画像を用紙に印刷するものであり、無端状の中間転写ベルトと、中間転写ベルトに各色（Ｙ：イエロー、Ｍ：マゼンタ、Ｃ：シアン、Ｋ：ブラック）のトナー画像を転写する画像形成ユニットと、画像情報に基づいて変調されたレーザ光で画像形成ユニットの感光体ドラムを露光することにより感光体ドラム上に静電潜像を形成する光学部とを備えている。
【００３３】
画像形成ユニットは、感光体ドラムと、感光体ドラムの表面を一様に帯電する帯電器と、感光体ドラムの表面に光学部によって形成された静電潜像を各色のトナーで現像したトナー画像を形成する現像部と、中間転写ベルトを感光体ドラムに押し付ける転写ローラとを有している。中間転写ベルトは、モータに連結された駆動ローラによって駆動される。
【００３４】
また、画像形成部８０は、中間転写ベルト上に形成されたトナー画像を用紙供給部８２から給紙された用紙に転写する転写部と、用紙に転写されたトナー画像を用紙上に定着させる定着部と、定着部を通過した用紙を用紙排出部８４に排出する排出ローラとを備えている。
【００３５】
用紙供給部８２は、向き、大きさ、紙質等の異なる用紙をそれぞれ収容する複数の用紙カセットと、各用紙カセットから用紙を取り出し、画像形成部８０の転写部へ搬送するための複数のローラとを備える。
【００３６】
このように構成された画像形成装置１１によれば、画像読取部１０で原稿を読み取り、読み取ったデータに基づいて、画像形成部８０において、用紙供給部８２から給紙された用紙に画像が形成される。
【００３７】
図３には、本実施形態に係る画像形成装置１１のブロック図を示した。図３に示すように、画像形成装置１１は、コンピュータ５０を含んで構成されている。
【００３８】
コンピュータ５０は、ＣＰＵ（Ｃｅｎｔｒａｌ  Ｐｒｏｃｅｓｓｉｎｇ  Ｕｎｉｔ）５０Ａ、ＲＯＭ（Ｒｅａｄ  Ｏｎｌｙ  Ｍｅｍｏｒｙ）５０Ｂ、ＲＡＭ（Ｒａｎｄｏｍ  Ａｃｃｅｓｓ  Ｍｅｍｏｒｙ）５０Ｃ、不揮発性メモリ５０Ｄ、及び入出力インターフェース（Ｉ／Ｏ）５０Ｅがバス５０Ｆを介して各々接続された構成となっている。なお、ＣＰＵ５０は、本発明に係る特定手段及び表示手段の一例である。
【００３９】
Ｉ／Ｏ５０Ｅには、操作部６０、表示部６２、画像読取部１０、画像形成部８０、用紙供給部８２、用紙排出部８４、ネットワーク通信インターフェース（Ｉ／Ｆ）８６、電話回線インターフェース（Ｉ／Ｆ）８８、及びハードディスク９０等の各機能部が接続されている。
【００４０】
操作部６０は、例えばコピー開始等を指示するためのスタートボタンやテンキー等の各種ボタンを含む。
【００４１】
表示部６２は、コピー濃度等の各種の画像形成条件を設定するための設定画面や後述するプレビュー画像（参照画像）を確認するための確認画面等の各種画面を表示する。なお、本実施形態では、表示部６２は、各種画面において指で触れることにより各種操作が可能なタッチパネルにより構成される。なお、表示部６２は、本発明に係る検出手段の一例である。
【００４２】
ネットワーク通信Ｉ／Ｆ８６は、ネットワークを介して外部装置とデータ通信を行うためのインターフェースである。
【００４３】
電話回線通信Ｉ／Ｆ８８は、図示しない電話回線を介して接続された他の画像形成装置とファクシミリ通信を行うためのインターフェースである。
【００４４】
ハードディスク９０は、例えば装置の各部の状態や稼働状況等のログデータ、コピーやファクシミリ通信、プリント等の処理結果のログデータ、各種の設定データ、後述する表示制御プログラム等が記憶される。
【００４５】
ところで、本実施形態に係る画像形成装置１１では、原稿台２０に複数枚の原稿をセットして読み取りを指示した場合、画像読取部１０で順次読み取られた原稿の画像からプレビュー画像を生成し、生成したプレビュー画像の一覧画面を表示部６２に表示する機能を有する。
【００４６】
図４には、プレビュー画像の一覧画面の一例を示した。図４に示す一覧画面では、画像読取部１０で読み取った原稿のうち１ページ目〜１０ページ目までのプレビュー画像ＰＶ１〜ＰＶ１０が表示されている。そして、画像形成装置１１では、例えばユーザーが選択したプレビュー画像に対して、ユーザーの指示に応じた処理を実行する。例えば、プレビュー画像上に親指と人差し指を乗せてピンチアウト操作（２本の指の間隔を広げる）をした場合、そのプレビュー画像を拡大して表示する機能を有する。この際、プレビュー画像が小さいため、ユーザーがどのプレビュー画像を選択したのか認識しづらい。このため、画像形成装置１１は、ユーザーがどのプレビュー画像を選択したのかを認識しやすくする表示制御処理を実行する。
【００４７】
次に、本実施形態の作用として、ＣＰＵ５０で実行されるプレビュー画像の表示制御処理について、図５に示すフローチャートを参照して説明する。なお、図５に示す表示制御処理は、プレビュー画像の一覧画面が表示部６２に表示されると実行される。
【００４８】
ステップＳ１００では、表示部６２が複数箇所のタッチポイント（接触位置）を検出したか否かを判定する。本実施形態では、一例として２カ所のタッチポイントを検出したか否かを判定する。そして、２カ所のタッチポイントを検出した場合は、ステップＳ１０２へ移行し、２カ所のタッチポイントを検出していない場合は検出するまで待機する。
【００４９】
ステップＳ１０２では、検出した２カ所のタッチポイントの座標を表示部６２から取得する。なお、以下では、例えば図４において左右方向（Ｘ方向）の位置をｘ座標とし、図４の上下方向（Ｙ方向）の座標をｙ座標とする。
【００５０】
ステップＳ１０４では、ステップＳ１０２で取得した２カ所のタッチポイントのうち１点だけがページ内に存在するか否か、すなわち、２カ所のタッチポイントのうち１点だけが、表示部６２に表示されたプレビュー画像のうち何れかのプレビュー画像の表示領域内に存在するか否かを判定する。そして、ステップＳ１０４の判定結果が肯定判定の場合はステップＳ１０６へ移行し、判定結果が否定判定の場合はステップＳ１１０へ移行する。
【００５１】
ステップＳ１０６では、タッチポイントが存在するページのプレビュー画像を選択し、選択したプレビュー画像の周縁部に色枠を表示させることにより、ユーザーが選択したプレビュー画像を認識しやすくする。
【００５２】
例えば図６に示すように、ユーザーの人差し指がタッチしたタッチポイントＴ１が何れのページ内にも存在せず、ユーザーの親指がタッチしたタッチポイントＴ２が３ページ目のプレビュー画像ＰＶ３上に存在する場合は、プレビュー画像ＰＶ３が選択される。そして、プレビュー画像ＰＶ３の周縁部に枠ＰＶ３−Ａが表示される。枠ＰＶ３−Ａは、図６に示すようにプレビュー画像ＰＶ３の周縁部を太枠で表しても良いし、認識しやすい色を付しても良い。
【００５３】
ステップＳ１０８では、プレビュー画像ＰＶ３上に存在するタッチポイントＴ２を基準点Ｆとして設定する。なお、プレビュー画像ＰＶ３の中心を基準点Ｆとして設定してもよい。
【００５４】
ステップＳ１３０では、ステップＳ１０８で設定した基準点Ｆの周辺を拡大する。例えば図７に示すように、基準点Ｆの周辺領域Ｓを拡大対象として設定する。周辺領域Ｓは、本実施形態では一例としてステップＳ１０６で選択されたプレビュー画像ＰＶ３を全て含む領域に設定する場合について説明するが、これに限らず、プレビュー画像ＰＶ３の一部を含む領域に設定してもよい。
【００５５】
そして、図７に示すように、周辺領域Ｓを拡大した拡大画像Ｋを、プレビュー画像ＰＶ３の例えば左上にポップアップ表示し、本ルーチンを終了する。これにより、選択されたプレビュー画像が認識しやすくなる。
【００５６】
なお、図７に示すように基準点Ｆの周辺領域Ｓを部分的に拡大してポップアップ表示するのではなく、例えば図８に示すように、基準点Ｆを中心として画面全体を拡大表示するようにしてもよい。
【００５７】
この後、ユーザーが親指と人差し指の間隔を広げるピンチアウト操作をした場合は、ＣＰＵ５０は、図９に示すように、選択したプレビュー画像ＰＶ３を拡大して表示部６２に表示する処理を実行する。
【００５８】
このように、プレビュー画像が小さい場合であっても、ユーザーが選択したプレビュー画像が認識しやすくなる。
【００５９】
一方、ステップＳ１０４で否定判定となった場合、ステップＳ１１０において、ステップＳ１０２で取得した２カ所のタッチポイントの両方が同じページ内に存在するか否かを判定する。そして、ステップＳ１１０の判定結果が肯定判定の場合はステップＳ１１２へ移行し、判定結果が否定判定の場合はステップＳ１１６へ移行する。例えば、図１０に示すように、タッチポイントＴ１、Ｔ２の両方がプレビュー画像ＰＶ３内に存在する場合には、ステップＳ１１２へ移行する。
【００６０】
ステップＳ１１２では、ステップＳ１０６と同様に、タッチポイントが存在するページのプレビュー画像を選択し、選択したプレビュー画像の周縁部に枠を表示させることにより、ユーザーが選択したプレビュー画像を認識しやすくする。
【００６１】
ステップＳ１１４では、２カ所のタッチポイントＴ１、Ｔ２の何れかを基準点Ｆとして設定する。例えば、２カ所のタッチポイントＴ１、Ｔ２のうちプレビュー画像ＰＶ３の中心に近い方のタッチポイントを基準点Ｆとして設定してもよい。また、２カ所のタッチポイントＴ１、Ｔ２の中心点、すなわちタッチポイントＴ１とＴ２を結ぶ線の中間点を基準点Ｆとして設定してもよいし、プレビュー画像ＰＶ３の中心を基準点として設定してもよい。そして、ステップＳ１３０では、前述した処理と同様に、ステップＳ１１４で設定した基準点周辺を拡大する。
【００６２】
一方、ステップＳ１１０で否定判定となった場合、ステップＳ１１６において、ステップＳ１０２で取得した２カ所のタッチポイントの各々が、異なるページ内に存在するか否かを判定する。そして、ステップＳ１１６の判定結果が肯定判定の場合はステップＳ１１８へ移行し、判定結果が否定判定の場合はステップＳ１２６へ移行する。例えば、図１１に示すように、タッチポイントＴ１、Ｔ２が異なるページ内に各々存在する場合には、ステップＳ１１８へ移行する。
【００６３】
ステップＳ１１８では、２カ所のタッチポイントＴ１、Ｔ２の中心点を算出する。例えばタッチポイントＴ１、Ｔ２の座標をそれぞれ（ｘ１、ｙ１）、（ｘ２、ｙ２）とすると、中心点（（ｘ１＋ｘ２）／２、（ｙ１＋ｙ２）／２）を算出する。
【００６４】
ステップＳ１２０では、ステップＳ１２０で算出した中心点が何れかのページ内に存在するか否かを判定する。そして、ステップＳ１２０の判定結果が肯定判定の場合はステップＳ１２２へ移行し、判定結果が否定判定の場合はステップＳ１２６へ移行する。
【００６５】
ステップＳ１２２では、中心点が存在するページのプレビュー画像を選択し、選択したプレビュー画像の周縁部に色枠を表示させることにより、ユーザーが選択したプレビュー画像を認識しやすくする。
【００６６】
ステップＳ１２４では、２カ所のタッチポイントの中心点を基準点Ｆとして設定する。そして、ステップＳ１３０では、前述した処理と同様に、ステップＳ１２４で設定した基準点周辺を拡大する。
【００６７】
ステップＳ１２０で否定判定となった場合、すなわち、ステップＳ１１８で算出した中心点が何れのページにも存在しない場合には、ステップＳ１２６において、２カ所のタッチポイントＴ１、Ｔ２のうち、早くタッチした方のタッチポイントが存在するページのプレビュー画像を選択し、選択したプレビュー画像の周縁部に色枠を表示させることにより、ユーザーが選択したプレビュー画像を認識しやすくする。なお、Ｘ方向において中心点が近い方のプレビュー画像を選択してもよい。
【００６８】
ステップＳ１２８では、２カ所のタッチポイントＴ１、Ｔ２のうち、早くタッチした方のタッチポイントを基準点Ｆとして設定する。なお、Ｘ方向において中心点が近い方のプレビュー画像に存在するタッチポイントを基準点Ｆとして設定してもよい。そして、ステップＳ１３０では、前述した処理と同様に、ステップＳ１２８で設定した基準点周辺を拡大する。
【００６９】
一方、ステップＳ１１６で否定判定となった場合、すなわち、２カ所のタッチポイントＴ１、Ｔ２の各々が何れのページ内にも存在しない場合は、ステップＳ１３２において、全ページを拡大して表示させる。例えば、図４の状態においてステップＳ１３２が実行された場合、例えば図１２に示すように、画面全体を拡大して表示させる。
【００７０】
このように、本実施形態では、２カ所のタッチポイントの位置と一覧画面に表示された複数のプレビュー画像との位置関係から拡大対象を特定し、特定した拡大対象を拡大して表示する。これにより、選択されたプレビュー画像が認識しやすくなる。
【００７１】
なお、３カ所以上のタッチポイントの位置と一覧画面に表示された複数のプレビュー画像との位置関係から拡大対象を特定して拡大表示するようにしてもよい。この場合、例えばステップＳ１０８の中心点の算出では、３カ所以上のタッチポイントの重心を求め、これを中心点とすればよい。
【００７２】
また、本実施形態では、画像読取部１０により原稿の画像を読み取る場合について説明したが、例えばサーバから写真等の画像を順次ダウンロードし、ダウンロードした画像のプレビュー画像の一覧画面をディスプレイに表示させる場合にも本発明は適用される。
【００７３】
また、本実施形態では、電子写真方式の画像形成部を採用した画像形成装置について説明したが、インクジェット方式の画像形成装置にも、本発明を適用可能である。
【００７４】
また、上記実施の形態では、プレビュー画像の表示制御プログラムがハードディスク９０に予めインストールされている場合について説明したが、本発明はこれに限定されるものではない。例えば、表示制御プログラムが、ＣＤ−ＲＯＭ（Compact Disk Read Only Memory）等の記憶媒体に格納されて提供される形態、又はネットワークを介して提供される形態としてもよい。
【００７５】
その他、上記実施の形態で説明した画像形成装置１１の構成（図１〜３参照。）は一例であり、本発明の主旨を逸脱しない範囲内において不要な部分を削除したり、新たな部分を追加したりしてもよいことは言うまでもない。
【００７６】
また、上記実施の形態で説明した表示制御プログラムの処理の流れ（図５参照）も一例であり、本発明の主旨を逸脱しない範囲内において不要なステップを削除したり、新たなステップを追加したり、処理順序を入れ替えたりしてもよいことは言うまでもない。
【符号の説明】
【００７７】
１０   画像読取部
１１   画像形成装置
１２   原稿搬送部
１８   原稿
２０   原稿台
５０   コンピュータ
６０   操作部
６２   表示部
８０   画像形成部
８２   用紙供給部
８４   用紙排出部
９０   ハードディスク
【図１】
2018010476.tif 000003
【図２】
2018010476.tif 000004
【図３】
2018010476.tif 000005
【図４】
2018010476.tif 000006
【図５】
2018010476.tif 000007
【図６】
2018010476.tif 000008
【図７】
2018010476.tif 000009
【図８】
2018010476.tif 000010
【図９】
2018010476.tif 000011
【図１０】
2018010476.tif 000012
【図１１】
2018010476.tif 000013
【図１２】
2018010476.tif 000014